(57)【要約】      （修正有）【課題】複数のネスティングラックを入れ子式に積み上げて収納する際に、従来よりも高い位置まで積み上げることを可能にする支持構造体を提供する。【解決手段】入れ子式に積み上げられた複数のネスティングラックを支持するための支持構造体１であって、積み上げられた複数のネスティングラックを三方から支持することができるように平面視でコ字形の形状に形成された基体７と、基体７よりも上方に配置され、積み上げられた複数のネスティングラックを三方から支持することができるように平面視でコ字形の形状に形成された枠体６と、垂直方向に延在し、基体７と枠体６とを接続している複数の支柱８，１０と、を備える。一実施例においては、基体７の後端７ａが、枠体６の後端６ａよりも前方へ延在していて倒れにくいように構成されている。【選択図】図１
0003194350.tif 000002
【実用新案登録請求の範囲】
【請求項１】
入れ子式に積み上げられた複数のネスティングラックを支持するための支持構造体であって、
入れ子式に積み上げられた複数のネスティングラックを三方から支持することができるように平面視でコ字形の形状に形成された基体と、
上記基体よりも上方に配置され、上記積み上げられた複数のネスティングラックを三方から支持することができるように平面視でコ字形の形状に形成された枠体と、
垂直方向に延在し、上記基体と上記枠体とを接続している複数の支柱と、
を備える支持構造体。
【請求項２】
上記枠体のコ字形の形状よりも上記基体のコ字形の形状の方が大きな形状に形成されていることを特徴とする請求項１に記載の支持構造体。
【考案の詳細な説明】
【技術分野】
【０００１】
本考案は、入れ子式に積み上げられた複数のネスティングラックを支持するための支持構造体に関し、詳しくは、従来よりも高い位置まで入れ子式に積み上げられた複数のネスティングラックを安全に支持することができる支持構造体に関する。
【背景技術】
【０００２】
ネスティングラックは多機能な棚として広く利用されている。本明細書に記載の「ネスティングラック」は、ポータブルラックの機能を持つ棚のことであり、複数のネスティングラックの本体を入れ子式に組み込んで収納することができ、収納されるときの形が鳥の巣に似ていることから「ネスティングラック」と呼ばれている。ネスティングラックは、商品などの物品を高積みで保管することができるので、限られたスペースを有効活用できるという利点があり、安定性にも優れている。さらには、ネスティングラックは、パレットの機能を有するので、フォークリフトを使って簡単に運ぶことができる。ネスティングラックは、鉄などの金属、スチールまたは硬い樹脂から形成され得る。
【０００３】
複数のネスティングラックを入れ子式に組み込んで収納する（ネスティング）ときには、図７に示されるように、ネスティングラックを高く積み上げていくのに伴い、積み上げられたネスティングラックが片側（図７においては紙面の右側）にせり出してくるため、高く積み重ね過ぎた場合に、ネスティングラックが倒れてしまう危険があった。
【先行技術文献】
【特許文献】
【０００４】
【特許文献１】特開２００２−１９９３１号公報
【考案の概要】
【考案が解決しようとする課題】
【０００５】
従来は、ネスティングラックをあまり高く積み上げて収納することができなかった。
【課題を解決するための手段】
【０００６】
本考案は、複数のネスティングラックを積み上げて収納する際に、従来よりも高い位置まで安全に入れ子式に積み上げて収納することを可能にするネスティングラック用の支持構造体を提供する。
【０００７】
一実施例においては、本考案の支持構造体は、入れ子式に積み上げられた複数のネスティングラックを支持するための支持構造体であって、積み上げられた複数のネスティングラックを三方から支持することができるように平面視でコ字形の形状（時計回りに９０度回転させると凵形の形状）に形成された基体と、基体よりも上方に配置され、積み上げられた複数のネスティングラックを三方から支持することができるように平面視でコ字形の形状（時計回りに９０度回転させると凵形の形状）に形成された枠体と、垂直方向に延在し、基体と枠体とを接続している複数の支柱と、を備える。
【０００８】
また、一実施例においては、本考案の支持構造体の枠体のコ字形の形状よりも基体のコ字形の形状の方が大きな寸法に形成されていることを特徴とする。
【０００９】
一例においては、支持構造体の基体の後端が枠体の後端よりも前方へ延在していることによって、当該支持構造体が床上で安定し、積み上げられたネスティングラックが倒れることを防止することができる。
【００１０】
本考案の他の実施例においては、２本の前方支柱８が存在しない場合もある（図６を参照）。
【考案の効果】
【００１１】
本考案の支持構造体を使用することにより、従来の約２倍の高さまでネスティングラックを積み上げて収納することができる。
【００１２】
すなわち、本考案の支持構造体を用いることで、従来よりも高い位置まで安全にネスティングラックを入れ子式に積み上げることができるので、これまで利用できなかった倉庫の上方のスペースを充分に有効活用することができる。
【００１３】
図１等に示されているように、本考案の支持構造体自体も、複数の該支持構造体を入れ子式に積み上げて収納することができる構造に形成されていることで、支持構造体の収納場所も小さなスペースで足りるという利点がある。
【図面の簡単な説明】
【００１４】
【図１】本考案の支持構造体の一例を示す斜視図。
【図２】ネスティングラックの一例を示す斜視図。
【図３】本考案の支持構造体の使用状態を示す側面図。
【図４】本考案の支持構造体がセットされた状態を示す斜視図。
【図５】本考案の支持構造体の収納状態を示す斜視図。
【図６】本考案の支持構造体の他形態の一例を示す斜視図。
【図７】従来のネスティングラックの収納状態を示す側面図。
【考案を実施するための形態】
【００１５】
本考案のネスティングラック用の支持構造体について添付の図を参照しつつ説明する。
【００１６】
図１は、本考案の支持構造体１の一例を示している。本考案の支持構造体１は、積み上げられたネスティングラック２を三方から支持することができるように平面視でコ字形の形状に形成された基体７と、基体７の上方に配置され、積み上げられたネスティングラック２を三方から支持することができるように平面視でコ字形の形状に形成された枠体６とが、垂直方向に延在する複数の支柱８，１０を介して接続されることにより構成されている。
【００１７】
基体７の少なくとも一部は床面９と接している。基体７の後端７ａは、ネスティングラック２（図２を参照）の枠体６の後端６ａよりも前方へ延在しているとよい。すなわち、上記枠体のコ字形の形状よりも上記基体のコ字形の形状の方が大きな形状に形成されていることで、支持構造体が床上で安定し、積み上げられたネスティングラックが倒れることを防止することができる。
【００１８】
図１に示される支持構造体１においては、基体７が平面視でコ字形の形状に形成されているとともに、基体７よりも上方に配置された枠体６が、平面視でコ字形の形状に形成されていて、枠体６と基体７とが複数の支柱８，１０を介して接続されている。さらには、左右の前方支柱８間に補強バー１１が設けられているとよい。
【００１９】
図３は、本考案の支持構造体の使用法を説明する図である。図３（ａ）に示される実施例においては、入れ子式に積み上げられたネスティングラック２の後方（図３（ａ）においては紙面の右方向）から、積み上げられたネスティングラック２の下側を挟みつけるように支持構造体１がセットされる（図３（ｂ）を参照）。
【００２０】
一実施例においては、図３（ｂ）に示されるように、他の場所で入れ子式に積み上げられたネスティングラック２がフォークリフトで持ち上げられ、ネスティングラック２の下枠５の下面５ｂが、支持構造体１の枠体６の上面６ｂに載せられる場合がある。    
【００２１】
よって、従来よりも高い位置までネスティングラック２を入れ子式に積み上げて収納することができるので、倉庫の上方のスペースを有効活用することができる。
【００２２】
図４に、積み上げられたネスティングラック２にセットされた状態が示されている。図４は、簡潔に示すため、ネスティングラック２が１台のみ示されている。
【００２３】
一実施例においては、図５に示されるように、本考案の支持構造体１自体も入れ子式に積み上げて収納することができるので、支持構造体１の収納場所も小さなスペースで用が足りる。図５においては、簡潔に示すために、本考案の支持構造体１が２台だけ積み重ねられている。
【００２４】
本考案の支持構造体１の他の実施例においては、図６に示されるように、前方支柱が存在しない場合もある。支持構造体の材料として、鉄などの金属、スチールまたは硬い樹脂を使用することができるが、特には限定しない。
【符号の説明】
【００２５】
１…支持構造体
２…ネスティングラック
３…ネスティングラックの前方支柱
４…ネスティングラックの後方支柱
５…ネスティングラックの下枠
５ａ…上面
５ｂ…下面
６…枠体
６ａ…後端
６ｂ…上面
７…基体
７ａ…後端
８…前方支柱
９…床面
１０…後方支柱
１１…補強バー
【図１】
0003194350.tif 000003
【図２】
0003194350.tif 000004
【図３】
0003194350.tif 000005
【図４】
0003194350.tif 000006
【図５】
0003194350.tif 000007
【図６】
0003194350.tif 000008
【図７】
0003194350.tif 000009